(57)【要約】【課題】録画されたコンテンツの残りダビング回数を使用者に報知して、ユーザの管理負担を軽減することを課題とする。【解決手段】レコーダ１０は、残りダビング回数が一回であるコンテンツをダビングする場合に、コンテンツと同一のコンテンツを保持する他の録画機器から残りダビング回数に関する情報を収集し、集計された他の録画機器の残りダビング回数を表示するとともに、同一コンテンツを保持する録画機器に関する情報を表示する。【選択図】        図１
2010140585.tif 000002
【特許請求の範囲】
【請求項１】
各コンテンツをダビングできる回数である残りダビング回数に関する情報を他の録画機器から収集して、当該他の録画機器の残りダビング回数を集計するダビング回数集計部と、
前記録画数集計部によって集計された各録画機器の残りダビング回数を表示するように制御するダビング回数表示制御部と、
を備えることを特徴とするレコーダ装置。
【請求項２】
前記ダビング回数集計部は、残りダビング回数が一回であるコンテンツをダビングする場合に、当該コンテンツと同一のコンテンツを保持する他の録画機器から残りダビング回数に関する情報を収集し、
前記ダビング回数表示制御部は、前記録画数集計部によって集計された他の録画機器の残りダビング回数を表示するとともに、前記同一コンテンツを保持する録画機器に関する情報を表示することを特徴とする請求項１に記載のレコーダ装置。
【請求項３】
前記ダビング回数集計部は、残りダビング回数が所定の回数以下であるコンテンツをダビングする場合に、当該コンテンツと同一のコンテンツを保持する他の録画機器から残りダビング回数に関する情報を収集し、
前記ダビング回数表示制御部は、前記録画数集計部によって集計された他の録画機器の残りダビング回数を表示するとともに、前記残りダビング回数が所定の回数以下であるコンテンツを保持する録画機器に関する情報を表示することを特徴とする請求項１に記載のレコーダ装置。
【請求項４】
前記ダビング回数集計部は、残りダビング回数が一回であるコンテンツをダビングする場合に、当該コンテンツと同一のコンテンツを保持しておりダビング残り回数が所定の回数以上である他の録画機器から残りダビング回数に関する情報を収集し、
前記ダビング回数表示制御部は、前記録画数集計部によって集計された他の録画機器の残りダビング回数を表示するとともに、前記残りダビング回数が所定の回数以上であるコンテンツを保持する録画機器に関する情報を表示することを特徴とする請求項１に記載のレコーダ装置。
【請求項５】
各コンテンツをダビングできる回数である残りダビング回数に関する情報を他の録画機器から収集して、当該他の録画機器の残りダビング回数を集計するダビング回数集計ステップと、
前記録画数集計ステップによって集計された各録画機器の残りダビング回数を表示するように制御するダビング回数表示制御ステップと、
を含んだことを特徴とするダビング回数管理方法。
【請求項６】
各コンテンツをダビングできる回数である残りダビング回数に関する情報を他の録画機器から収集して、当該他の録画機器の残りダビング回数を集計するダビング回数集計手順と、
前記録画数集計手順によって集計された各録画機器の残りダビング回数を表示するように制御するダビング回数表示制御手順と、
をコンピュータに実行させることを特徴とするダビング回数管理プログラム。
【請求項７】
残りダビング回数が一回であるコンテンツをダビングする場合に、当該コンテンツをダビングできる回数である残りダビング回数に関する情報を他の録画機器から収集し、収集されたダビング残り回数が所定の回数以上である他の録画機器を検索するダビング回数集計部と、
前記ダビング回数集計部によって検索された他の録画機器から自装置に前記コンテンツをダビングし、当該ダビングされたコンテンツを媒体にダビングするダビング処理部と、
を備えることを特徴とするレコーダ装置。
【発明の詳細な説明】
【技術分野】
【０００１】
この発明は、ネットワーク内に存在する同一コンテンツのダビング回数を管理するレコーダ装置、ダビング回数管理方法およびダビング回数管理プログラムに関する。
【背景技術】
【０００２】
従来より、地上波デジタル放送および衛星デジタルテレビ放送などのコンテンツを記録するレコーダが普及している。また、家庭内のＰＣ（Ｐｅｒｓｏｎａｌ  Ｃｏｍｐｕｔｅｒ）や複数のハードディスクレコーダ等をネットワーク接続して、コンテンツを相互に管理するネットワークシステムが知られている。
【０００３】
このようなネットワークシステムにおけるコンテンツを管理する技術が実施されている。例えば、レコーダ装置が、ネットワーク内の他の録画機器に保存されているコンテンツの管理情報を取得し、複数のレコーダが同一のコンテンツを記録している場合には、分散したコンテンツを一つのレコーダに転送して保存する技術が知られている（特許文献１参照）。
【０００４】
【特許文献１】特開２００６−３１９７２８号公報
【発明の開示】
【発明が解決しようとする課題】
【０００５】
ところで、地上波デジタル放送および衛星デジタルテレビ放送の著作権保護のため、ダビング１０の運用が開始された。ダビング１０の運用開始前では、一度限りのダビングのみ可能であったために、録画済であるかどうかだけを使用者が気にするだけでダビング回数の管理が必要なかった。しかしダビング１０が開始される地上波デジタル放送および衛星デジタルテレビ放送において、ダビング１０が施行されたことで、録画されたコンテンツの残りダビング回数に関してもユーザが管理する必要が出てきた。
【０００６】
つまり、ダビング１０の特性上、一度ムーブ（１０回目のダビング）を行なったものに関しては書き戻しができない。このため、２つ以上のレコーダで同じ番組を録画している場合に、片方のレコーダからのみダビングを１０回続けると最終的にはダビングを続けたほうのレコーダからはコンテンツが削除されてしまい、そのレコーダで番組を再生することができなくなる（図１２参照）。このため、ユーザが録画されたコンテンツの残りダビング回数を管理する必要があり、ユーザの管理負担が大きいという課題があった。
【０００７】
また、上記した従来のコンテンツを管理する技術では、分散したコンテンツを一つのレコーダに転送して保存するのみで、残りダビング回数を管理することができず、録画されたコンテンツの残りダビング回数をユーザに報知することができず、ユーザの管理負担が大きいという課題があった。
【０００８】
そこで、この発明は、上述した従来技術の課題を解決するためになされたものであり、録画されたコンテンツの残りダビング回数を使用者に報知して、ユーザの管理負担を軽減することを目的とする。
【課題を解決するための手段】
【０００９】
上述した課題を解決し、目的を達成するため、この装置は、各コンテンツをダビングできる回数である残りダビング回数に関する情報を他の録画機器から収集して、他の録画機器の残りダビング回数を集計し、集計された各録画機器の残りダビング回数を表示することを要件とする。
【発明の効果】
【００１０】
開示の装置は、集計された各録画機器の残りダビング回数を表示するので、録画されたコンテンツの残りダビング回数を使用者に報知して、ユーザの管理負担を軽減するという効果を奏する。
【発明を実施するための最良の形態】
【００１１】
以下に添付図面を参照して、この発明に係るレコーダ装置、ダビング回数管理方法およびダビング回数管理プログラムの実施例を詳細に説明する。
【実施例１】
【００１２】
以下の実施例では、実施例１に係るレコーダの構成および処理の流れを順に説明し、最後に実施例１による効果を説明する。
【００１３】
［レコーダの構成］
次に、図１〜図５を用いて、レコーダ１０の構成を説明する。図１は、実施例１に係るレコーダ１０の構成を示すブロック図である。図２は、コンテンツテーブルを説明するための図である。図３は、レコーダの集計処理について説明するための図である。図４は、ダビング残り回数の表示例を示す図である。図５は、ダビング残り回数の表示例を示す図である。
【００１４】
図１に示すように、このレコーダ１０は、ネットワークインターフェース１１、外部媒体読書部１２、録画蓄積部１３、録画コンテンツ情報集計部１４、表示操作部１５、入力系統管理部１６を有し、ネットワーク等を介して他のレコーダ１０Ａおよびテレビ２０と接続される。以下にこれらの各部の処理を説明する。
【００１５】
ネットワークインターフェース１１は、外部のレコーダ１０Ａと接続するためのインターフェースであり、接続される他のレコーダ１０Ａとの間でやり取りする各種情報に関する通信を制御する。具体的には、ネットワークインターフェース１１は、他のレコーダ１０Ａからコンテンツ情報を受信する。
【００１６】
外部媒体読書部１２は、外部記録媒体（ＤＶＤなど）の読み書きを行う。具体的には、外部媒体読書部１２は、録画蓄積部１３からコンテンツのダビング（またはムーブ）を行う場合や、コンテンツの録画または再生を行う場合に外部記録媒体にコンテンツの読む書きを行う。
【００１７】
録画蓄積部１３は、録画したコンテンツとコンテンツに関する情報を蓄積する。また、録画蓄積部１３は、外部媒体読書部１２にコンテンツのダビングを行い、また、蓄積されたコンテンツの再生や、放送されているコンテンツの録画を行う。
【００１８】
具体的には、録画蓄積部１３は、図２に示すように、自身が保持するコンテンツに関する情報としてコンテンツテーブルを保持する。このコンテンツテーブルは、図２に例示するように、番組を一意に識別する識別子と、残りダビング回数を対応付けて記憶している。なお、コンテンツテーブルは、バックグラウンドで稼動している記憶部に格納されている。つまり、コンテンツテーブルが収集される側のレコーダ１０に電源が入っていない場合でも、コンテンツテーブルを収集可能にするためである。
【００１９】
録画コンテンツ情報集計部１４は、内部の録画蓄積部１３からコンテンツ情報（各コンテンツをダビングできる回数である残りダビング回数に関する情報等）を収集するとともに、他のレコーダ１０Ａからもコンテンツ情報を収集して、当該他の録画機器の残りダビング回数を集計する。
【００２０】
具体的には、録画コンテンツ情報集計部１４は、録画済の番組をダビングする指示をユーザから受け付けると、ダビングの残り回数が１回の番組であるか判定（つまり、ダビングがムーブであるか判定）する。なお、録画コンテンツ情報集計部１４は、録画済の番組をダビングする指示を受け付けた場合だけでなく、テレビの録画が完了した場合やレコーダの電源をＯＮした場合にも、ダビングの残り回数が１回の番組であるか判定して以下の処理を行ってもよい。
【００２１】
そして、判定の結果、録画コンテンツ情報集計部１４は、ダビングの残り回数が１回の番組であると判定した場合には、他のレコーダ１０Ａのコンテンツテーブルを収集し、表示操作部１５に収集されたコンテンツテーブルを通知する。なお、ダビングの残り回数が１回ではなく、所定の閾値以下の番組である場合に、他のレコーダ１０Ａのコンテンツテーブルを収集するようにしてもよい。これにより、ダビングの残り回数が少なくなってきたことを早めにユーザに報知することが可能である。
【００２２】
ここで、図３の例を用いてレコーダ集計処理について説明する。つまり、図３に例示するように、「レコーダ１」および「レコーダ２」では、１０回目のダビングであるムーブを行なうまでコンテンツが残り続ける。このため、ユーザが複数のレコーダ１、２を保有している場合には、レコーダ１でムーブを行う前に、レコーダ２で同一のコンテンツを保有していないかコンテンツテーブルを集計して調べる。
【００２３】
そして、レコーダ２で同一のコンテンツを保有している場合には、レコーダ２からメディアにダビングを行うことで、レコーダ２だけでなくレコーダ１にも番組を残すことができ、コンテンツの効率的な利用を行なうことが可能となる。このように、レコーダ１０では、ネットワークで接続された録画機器から保有しているコンテンツテーブルを収集し、管理を行なった上で一覧を表示することで、利用者の利便性を向上することができる。
【００２４】
表示操作部１５は、録画番組および媒体の再生時に映像作成を行うなどの画面全般の表示内容を作成するが、特に、集計された各録画機器の残りダビング回数をテレビ２０の表示部２１に表示するように制御する。具体的には、表示操作部１５は、収集されたコンテンツテーブルから受信すると、受信されたコンテンツテーブルを用いて、他のレコーダ１０Ａにダビング対象のコンテンツと同一のコンテンツがあるか検索する。
【００２５】
その結果、表示操作部１５は、他のレコーダ１０Ａにダビング対象のコンテンツと同一のコンテンツがある場合には、残りダビング回数の一覧の映像を映像信号で作成し、入力系統管理部１６に通知する。また、表示操作部１５は、他のレコーダ１０Ａにダビング対象のコンテンツと同一のコンテンツがない場合には、ムーブを開始する旨を表示内容を映像信号で作成し、入力系統管理部１６に通知する。
【００２６】
ここで、上記した残りダビング回数の一覧の表示例について図４を用いて説明する。図４に例示するように、レコーダ１０は、残りダビング回数の一覧の表示例として、番組を一意に識別する番組識別子と、各レコーダの残りダビング回数の合計と、各レコーダの残りダビング回数とをそれぞれ対応付けて表示する。
【００２７】
つまり、レコーダ１０は、ネットワーク内の各レコーダによって記憶された同一コンテンツの残りダビング回数を集計して表示することで、ネットワーク全体での残りダビング回数の把握が容易となり、残りダビング回数の管理負担を減らすことができる。
【００２８】
また、レコーダ１０は、図５に示すように、残りダビング回数の一覧の表示例として、他のレコーダ１０Ａの残りダビング回数を表示するとともに、同一コンテンツを保持する他のレコーダ１０Ａに関する情報（レコーダの名称、識別子等）を表示してもよい。ここで、同一コンテンツを保持する他のレコーダが複数あった場合には、残りダビング回数が一番多い他のレコーダを表示してもよいし、全ての他のレコーダを表示してもよい。
【００２９】
入力系統管理部１６は、映像信号を入力し、外部のテレビ２０などに映像信号を出力するための入出力系統を管理する。具体的には、入力系統管理部１６は、表示操作部１５から映像信号を受信し、受信された映像信号を外部のテレビ２０に出力する。
【００３０】
［レコーダによる処理］
次に、図６を用いて、実施例１に係るレコーダ１０による処理を説明する。図６は、実施例１に係るレコーダ１０の処理動作を示すフローチャートである。
【００３１】
同図に示すように、レコーダ１０は、録画済の番組をダビングする指示をユーザから受け付けると（ステップＳ１０１肯定）、ダビングの残り回数が１回の番組であるか判定（つまり、ダビングがムーブであるか判定）する（ステップＳ１０２）。その結果、レコーダ１０は、ダビングの残り回数が１回の番組であると判定した場合には（ステップＳ１０２肯定）、他のレコーダ１０Ａのコンテンツテーブルを収集する（ステップＳ１０３）。
【００３２】
そして、レコーダ１０は、収集されたコンテンツテーブルを用いて、他のレコーダ１０Ａにダビング対象のコンテンツと同一のコンテンツがあるか検索する（ステップＳ１０４）。その結果、レコーダ１０は、他のレコーダ１０Ａにダビング対象のコンテンツと同一のコンテンツがある場合には（ステップＳ１０４肯定）、残りダビング回数の一覧をテレビ２０の表示部２１に表示する（ステップＳ１０５）。
【００３３】
また、レコーダ１０は、ダビングの残り回数が二回以上の番組をダビングする場合（ステップＳ１０２否定）、または、他のレコーダ１０Ａにダビング対象のコンテンツと同一のコンテンツがない場合には（ステップＳ１０４否定）、ムーブを開始する旨をテレビ２０の表示部２１に表示する（ステップＳ１０６）。
【００３４】
[実施例１の効果]
上述してきたように、レコーダ１０は、各コンテンツをダビングできる回数である残りダビング回数に関する情報を他の録画機器から収集して、他の録画機器の残りダビング回数を集計し、集計された各録画機器の残りダビング回数を表示する。このため、録画されたコンテンツの残りダビング回数を使用者に報知して、ユーザの管理負担を軽減することが可能である。
【００３５】
つまり、レコーダ１０は、ネットワーク内の各レコーダによって記憶された同一コンテンツの残りダビング回数を集計して表示することで、ネットワーク全体での残りダビング回数の把握が容易となり、残りダビング回数の管理負担を減らすことができる。
【００３６】
また、実施例１によれば、残りダビング回数が一回であるコンテンツをダビングする場合に、コンテンツと同一のコンテンツを保持する他の録画機器から残りダビング回数に関する情報を収集し、集計された他の録画機器の残りダビング回数を表示するとともに、同一コンテンツを保持する録画機器に関する情報を表示する。このため、ムーブを行ってレコーダの中にコンテンツが残らなくなることを防止することができ、ユーザの管理負担を軽減することが可能である。
【００３７】
また、実施例１によれば、残りダビング回数が所定の回数以下であるコンテンツをダビングする場合に、コンテンツと同一のコンテンツを保持する他のレコーダから残りダビング回数に関する情報を収集し、集計された他のレコーダの残りダビング回数を表示するとともに、残りダビング回数が所定の回数以下であるコンテンツを保持する他のレコーダに関する情報を表示する。このため、ダビングの残り回数が少なくなってきたことを早めにユーザに報知することができ、ユーザの管理負担を軽減することが可能である。
【実施例２】
【００３８】
ところで、上記の実施例１では、他のレコーダ１０Ａにダビング対象のコンテンツと同一のコンテンツがある場合に、各レコーダの残りダビング回数を表示する場合を説明したが、本実施例はこれに限定されるものではなく、他のレコーダのダビング回数が所定の閾値以上である場合に限り、残りダビング回数が所定の閾値以上のレコーダと、その残り回数を表示するようにしてもよい。
【００３９】
そこで、以下の実施例２では、他のレコーダのダビング回数が所定の閾値以上である場合に限り、残りダビング回数が所定の閾値以上のレコーダと、その残り回数を表示する場合として、図７および図８を用いて、実施例２におけるレコーダ１０ａの処理について説明する。図７は、レコーダの集計処理について説明するための図である。図８は、実施例２に係るレコーダ１０ａの処理手順を説明するためのフローチャートである。
【００４０】
まず、図７の例を用いてレコーダ集計処理について説明する。図７の例では、所定の閾値として「３」が事前に設定されているものとする。つまり、図７に例示するように、「レコーダ１」は、番組Ａについて１０回目のダビングを行う場合に、他のレコーダ２が保持する番組Ａの残りダビング回数を収集する。
【００４１】
そして、レコーダ２では番組Ａのダビング残り数が「５」であり、所定の閾値「３」よりも大きいので、レコード１は、レコーダ２に充分なダビング残り回数があると判断して、レコーダ２のダビング回数が５であることを表示するように制御する。
【００４２】
つまり、実施例２に係るレコーダ１０ａは、他のレコーダが同一のコンテンツを保持しているか、かつ、ダビング回数にまだ余裕があるかを調べることで、コンテンツの効率的な利用を行なうことが可能である。
【００４３】
次に、図８を用いて実施例２に係るレコーダ１０ａの処理手順について説明する。実施例２のレコーダ１０ａは、図６に示した実施例１に係るレコーダ１０の処理手順と比較して、他のレコーダのダビング回数が所定の回数以上であるか判定する点が相違する。
【００４４】
すなわち、図８に示すように、実施例１と同様に他のレコーダに同一の番組があると判定した後に（ステップＳ２０４肯定）、実施例２に係るレコーダ１０ａでは、他のレコーダのダビング回数が所定の回数以上あるか（他のレコーダが複数である場合には、他のレコーダのうち、ダビング回数が所定の回数以上であるレコーダがあるか）を判定する（ステップＳ２０５）。
【００４５】
その結果、レコーダ１０ａは、他のレコーダのダビング回数が所定の回数以上である場合には（ステップＳ２０５肯定）、残りダビング回数が所定の閾値以上のレコーダと、その残り回数をテレビ２０の表示部２１に表示する（ステップＳ２０６）。また、レコーダ１０ａは、他のレコーダのダビング回数が所定の回数以上でない場合には（ステップＳ２０５否定）、ムーブを開始する旨をテレビ２０の表示部２１に表示する（ステップＳ２０７）。
【００４６】
このように、上記の実施例２では、レコーダ１０ａは、残りダビング回数が一回であるコンテンツをダビングする場合に、コンテンツと同一のコンテンツを保持しておりダビング残り回数が所定の回数以上である他のレコーダから残りダビング回数に関する情報を収集し、集計された他のレコーダの残りダビング回数を表示するとともに、残りダビング回数が所定の回数以上であるコンテンツを保持する録画機器に関する情報を表示する。このため、他のレコーダのダビング回数にまだ余裕があるかを調べて、コンテンツの効率的な利用を行ないつつ、ユーザの管理負担を軽減することが可能である。
【実施例３】
【００４７】
ところで、上記の実施例１では、他のレコーダ１０Ａにダビング対象のコンテンツと同一のコンテンツがある場合に、各レコーダの残りダビング回数を表示する場合を説明したが、本実施例はこれに限定されるものではなく、ダビング残り回数が所定の回数以上である他の録画機器を検索し、検索された他の録画機器から自レコーダに同一のコンテンツをダビングし、ダビングされたコンテンツをメディアにムーブするようにしてもよい。なお、実施例３では、ダビング回数を表示しなくてもよいし、表示してもよい。
【００４８】
そこで、以下の実施例３では、ダビング残り回数が所定の回数以上である他の録画機器を検索し、検索された他の録画機器から自レコーダに同一のコンテンツをダビングし、ダビングされたコンテンツをメディアにムーブする場合として、図９および図１０を用いて、実施例３におけるレコーダ１０ｂの処理について説明する。図９は、レコーダのダビング処理について説明するための図である。図１０は、実施例３に係るレコーダ１０ｂの処理手順を説明するためのフローチャートである。
【００４９】
まず、図９の例を用いてダビング処理について説明する。図７の例では、所定の閾値として「３」が事前に設定されているものとする。そして、図９に例示するように、「レコーダ１」は、番組Ａについて１０回目のダビングを行う場合に、他のレコーダが保持する番組Ａの残りダビング回数を収集し、ダビング残り回数が所定の回数以上であるレコーダ２を検索する。
【００５０】
そして、レコーダ２では番組Ａのダビング残り数が「１０」であり、所定の閾値「３」よりも大きいので、レコード１は、レコーダ２に充分なダビング残り回数があると判断して、検索されたレコーダ２から自レコーダ１に同一のコンテンツをダビングし（図９の（１）参照）、ダビングされたコンテンツをメディアにダビングする（図９の（２）参照）。
【００５１】
つまり、実施例２に係るレコーダ１０ａは、レコーダ２で同一のコンテンツを保有している場合には、レコーダ２のコンテンツをレコーダ１にダビングし、その後レコーダ１からメディアにダビングすることでレコーダ２だけでなくレコーダ１にも番組を残すことができ、コンテンツの効率的な利用を行なうことが可能となる。
【００５２】
次に、図１０を用いて実施例３に係るレコーダ１０ｂの処理手順について説明する。実施例３のレコーダ１０ｂは、図６に示した実施例１に係るレコーダ１０の処理手順と比較して、他のレコーダから自レコーダ１０ｂに同一のコンテンツをダビングし、ダビングされたコンテンツをメディアにダビングする点が相違する。
【００５３】
すなわち、図１０に示すように、実施例１と同様に他のレコーダに同一の番組があると判定した後に（ステップＳ３０４肯定）、実施例３に係るレコーダ１０ｂでは、他のレコーダからダビングの操作をしているレコーダにコンテンツをダビングし（ステップＳ３０５）、ダビングされたコンテンツを媒体にムーブすることで、操作を行っているレコーダのコンテンツをそのまま保存する（ステップＳ３０６）。
【００５４】
このように、上記の実施例３では、レコーダ１０ｂは、残りダビング回数が一回であるコンテンツをダビングする場合に、残りダビング回数に関する情報を他の録画機器から収集して、ダビング残り回数が所定の回数以上である他の録画機器を検索し、検索された他の録画機器から自装置に同一のコンテンツをダビングし、ダビングされたコンテンツを媒体にダビングする。これにより、ダビング回数の使いきりによるコンテンツの消失を防ぐことが可能である。
【実施例４】
【００５５】
さて、これまで本発明の実施例について説明したが、本発明は上述した実施例以外にも、種々の異なる形態にて実施されてよいものである。そこで、以下では実施例４として本発明に含まれる他の実施例を説明する。
【００５６】
（１）システム構成等
図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、録画コンテンツ情報集計部１４と表示操作部１５を統合してもよい。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００５７】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００５８】
（２）プログラム
ところで、上記の実施例で説明した各種の処理は、あらかじめ用意されたプログラムをコンピュータで実行することによって実現することができる。図１２は、ＰＣはテレビ機能と録画機能付きの一例を簡略的に示すブロック図である。同図に示すように、ＰＣまたはレコーダーは、通信制御部を経由して外部機器と接続される。
【００５９】
同図に示すように、ＰＣ１００は、システムコントローラ１１２に、ＣＰＵ１１４、主記憶装置１１６、表示部１０６、ハードディスク１１８、ＴＶ受信装置、ＣＤ／ＤＶＤドライブ、通信制御部１１７、操作受信部１１１、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）１２０、キーボードコントローラ１１３、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）１２２、電源監視部１２６がバス１２１によって接続され構成されている。以下、各ブロックについて説明する。
【００６０】
システムコントローラ１１２は、データの入出力管理等、システム全体の制御を行う。ＣＰＵ１１４は、主記憶装置１１６に展開されるＯＳ、ＢＩＯＳ等の各種プログラムを実行する。主記憶装置１１６は、ハードディスク１１８から読み出されたプログラムの実行のための作業エリアとして使用される。
【００６１】
また、本実施例においては、主記憶装置１１６にＯＳ、ＢＩＯＳ、アプリケーション等が展開される。表示部１０６は、ＣＰＵ１１４がシステムコントローラ１１２を介して出す命令に基づいた表示および放送の各チャンネルの表示、ＤＶＤ再生画像の表示等を行う。ハードディスク１１８は、ＯＳやアプリケーションプログラム、録画コンテンツ等を格納している。ＥＰＲＯＭ１２０は、ＰＣに電源が投入された後、最初に実行されるＢＩＯＳを格納している。
【００６２】
キーボードコントローラ１１３は、キーボード１０７及びマウス１０８からの入力を検出する。ＣＭＯＳ１２２は、ＢＩＯＳメニューの設定を記憶している。電源監視部１２６は、電源ボタン１０６が操作されたか否かを監視している。ＴＶ受信装置は、チューナ、復調器により構成され、放送電波をアンテナから取込み各チャンネルを受信する。操作受信部はリモコンからの操作を受信する。
【００６３】
以上の実施例１〜４を含む実施形態に関し、更に以下の付記を開示する。
【００６４】
（付記１）各コンテンツをダビングできる回数である残りダビング回数に関する情報を他の録画機器から収集して、当該他の録画機器の残りダビング回数を集計するダビング回数集計部と、
前記録画数集計部によって集計された各録画機器の残りダビング回数を表示するように制御するダビング回数表示制御部と、
を備えることを特徴とするレコーダ装置。
【００６５】
（付記２）前記ダビング回数集計部は、残りダビング回数が一回であるコンテンツをダビングする場合に、当該コンテンツと同一のコンテンツを保持する他の録画機器から残りダビング回数に関する情報を収集し、
前記ダビング回数表示制御部は、前記録画数集計部によって集計された他の録画機器の残りダビング回数を表示するとともに、前記同一コンテンツを保持する録画機器に関する情報を表示することを特徴とする付記１に記載のレコーダ装置。
【００６６】
（付記３）前記ダビング回数集計部は、残りダビング回数が所定の回数以下であるコンテンツをダビングする場合に、当該コンテンツと同一のコンテンツを保持する他の録画機器から残りダビング回数に関する情報を収集し、
前記ダビング回数表示制御部は、前記録画数集計部によって集計された他の録画機器の残りダビング回数を表示するとともに、前記残りダビング回数が所定の回数以下であるコンテンツを保持する録画機器に関する情報を表示することを特徴とする付記１に記載のレコーダ装置。
【００６７】
（付記４）前記ダビング回数集計部は、残りダビング回数が一回であるコンテンツをダビングする場合に、当該コンテンツと同一のコンテンツを保持しておりダビング残り回数が所定の回数以上である他の録画機器から残りダビング回数に関する情報を収集し、
前記ダビング回数表示制御部は、前記録画数集計部によって集計された他の録画機器の残りダビング回数を表示するとともに、前記残りダビング回数が所定の回数以上であるコンテンツを保持する録画機器に関する情報を表示することを特徴とする付記１に記載のレコーダ装置。
【００６８】
（付記５）前記ダビング回数集計部は、残りダビング回数が一回であるコンテンツをダビングする場合に、前記残りダビング回数に関する情報を他の録画機器から収集して、ダビング残り回数が所定の回数以上である他の録画機器を検索し、
前記ダビング回数集計部によって検索された他の録画機器から自装置に前記同一のコンテンツをダビングし、ダビングされたコンテンツを媒体にダビングするダビング処理部をさらに備えることを特徴とする付記１〜４のいずれか一つに記載のレコーダ装置。
【００６９】
（付記６）各コンテンツをダビングできる回数である残りダビング回数に関する情報を他の録画機器から収集して、当該他の録画機器の残りダビング回数を集計するダビング回数集計ステップと、
前記録画数集計ステップによって集計された各録画機器の残りダビング回数を表示するように制御するダビング回数表示制御ステップと、
を含んだことを特徴とするダビング回数管理方法。
【００７０】
（付記７）前記ダビング回数集計ステップは、残りダビング回数が一回であるコンテンツをダビングする場合に、当該コンテンツと同一のコンテンツを保持する他の録画機器から残りダビング回数に関する情報を収集し、
前記ダビング回数表示制御ステップは、前記録画数集計部によって集計された他の録画機器の残りダビング回数を表示するとともに、前記同一コンテンツを保持する録画機器に関する情報を表示することを特徴とする付記６に記載のダビング回数管理方法。
【００７１】
（付記８）前記ダビング回数集計ステップは、残りダビング回数が所定の回数以下であるコンテンツをダビングする場合に、当該コンテンツと同一のコンテンツを保持する他の録画機器から残りダビング回数に関する情報を収集し、
前記ダビング回数表示制御ステップは、前記録画数集計部によって集計された他の録画機器の残りダビング回数を表示するとともに、前記残りダビング回数が所定の回数以下であるコンテンツを保持する録画機器に関する情報を表示することを特徴とする付記６に記載のダビング回数管理方法。
【００７２】
（付記９）前記ダビング回数集計ステップは、残りダビング回数が一回であるコンテンツをダビングする場合に、当該コンテンツと同一のコンテンツを保持しておりダビング残り回数が所定の回数以上である他の録画機器から残りダビング回数に関する情報を収集し、
前記ダビング回数表示制御ステップは、前記録画数集計部によって集計された他の録画機器の残りダビング回数を表示するとともに、前記残りダビング回数が所定の回数以上であるコンテンツを保持する録画機器に関する情報を表示することを特徴とする付記６に記載のダビング回数管理方法。
【００７３】
（付記１０）前記ダビング回数集計ステップは、残りダビング回数が一回であるコンテンツをダビングする場合に、前記残りダビング回数に関する情報を他の録画機器から収集して、ダビング残り回数が所定の回数以上である他の録画機器を検索し、
前記ダビング回数集計ステップによって検索された他の録画機器から自装置に前記同一のコンテンツをダビングし、ダビングされたコンテンツを媒体にダビングするダビング処理ステップをさらに含んだことを特徴とする付記６〜９のいずれか一つに記載のダビング回数管理方法。
【００７４】
（付記１１）各コンテンツをダビングできる回数である残りダビング回数に関する情報を他の録画機器から収集して、当該他の録画機器の残りダビング回数を集計するダビング回数集計手順と、
前記録画数集計手順によって集計された各録画機器の残りダビング回数を表示するように制御するダビング回数表示制御手順と、
をコンピュータに実行させることを特徴とするダビング回数管理プログラム。
【００７５】
（付記１２）前記ダビング回数集計手順は、残りダビング回数が一回であるコンテンツをダビングする場合に、当該コンテンツと同一のコンテンツを保持する他の録画機器から残りダビング回数に関する情報を収集し、
前記ダビング回数表示制御手順は、前記録画数集計部によって集計された他の録画機器の残りダビング回数を表示するとともに、前記同一コンテンツを保持する録画機器に関する情報を表示することを特徴とする付記１１に記載のダビング回数管理プログラム。
【００７６】
（付記１３）前記ダビング回数集計手順は、残りダビング回数が所定の回数以下であるコンテンツをダビングする場合に、当該コンテンツと同一のコンテンツを保持する他の録画機器から残りダビング回数に関する情報を収集し、
前記ダビング回数表示制御手順は、前記録画数集計部によって集計された他の録画機器の残りダビング回数を表示するとともに、前記残りダビング回数が所定の回数以下であるコンテンツを保持する録画機器に関する情報を表示することを特徴とする付記１１に記載のダビング回数管理プログラム。
【００７７】
（付記１４）前記ダビング回数集計手順は、残りダビング回数が一回であるコンテンツをダビングする場合に、当該コンテンツと同一のコンテンツを保持しておりダビング残り回数が所定の回数以上である他の録画機器から残りダビング回数に関する情報を収集し、
前記ダビング回数表示制御手順は、前記録画数集計部によって集計された他の録画機器の残りダビング回数を表示するとともに、前記残りダビング回数が所定の回数以上であるコンテンツを保持する録画機器に関する情報を表示することを特徴とする付記１１に記載のダビング回数管理プログラム。
【００７８】
（付記１５）前記ダビング回数集計手順は、残りダビング回数が一回であるコンテンツをダビングする場合に、前記残りダビング回数に関する情報を他の録画機器から収集して、ダビング残り回数が所定の回数以上である他の録画機器を検索し、
前記ダビング回数集計手順によって検索された他の録画機器から自装置に前記同一のコンテンツをダビングし、ダビングされたコンテンツを媒体にダビングするダビング処理手順をさらにコンピュータに実行させることを特徴とする付記１１〜１４のいずれか一つに記載のダビング回数管理プログラム。
【００７９】
（付記１６）残りダビング回数が一回であるコンテンツをダビングする場合に、当該コンテンツをダビングできる回数である残りダビング回数に関する情報を他の録画機器から収集し、収集されたダビング残り回数が所定の回数以上である他の録画機器を検索するダビング回数集計部と、
前記ダビング回数集計部によって検索された他の録画機器から自装置に前記コンテンツをダビングし、当該ダビングされたコンテンツを媒体にダビングするダビング処理部と、
を備えることを特徴とするレコーダ装置。
【００８０】
（付記１７）残りダビング回数が一回であるコンテンツをダビングする場合に、当該コンテンツをダビングできる回数である残りダビング回数に関する情報を他の録画機器から収集し、収集されたダビング残り回数が所定の回数以上である他の録画機器を検索するダビング回数集計ステップと、
前記ダビング回数集計ステップによって検索された他の録画機器から自装置に前記コンテンツをダビングし、当該ダビングされたコンテンツを媒体にダビングするダビング処理ステップと、
を含んだことを特徴とするダビング回数管理方法。
【００８１】
（付記１８）残りダビング回数が一回であるコンテンツをダビングする場合に、当該コンテンツをダビングできる回数である残りダビング回数に関する情報を他の録画機器から収集し、収集されたダビング残り回数が所定の回数以上である他の録画機器を検索するダビング回数集計手順と、
前記ダビング回数集計手順によって検索された他の録画機器から自装置に前記コンテンツをダビングし、当該ダビングされたコンテンツを媒体にダビングするダビング処理手順と、
をコンピュータに実行させることを特徴とするダビング回数管理プログラム。
【図面の簡単な説明】
【００８２】
【図１】実施例１に係るレコーダの構成を示すブロック図である。
【図２】コンテンツテーブルを説明するための図である。
【図３】レコーダの集計処理について説明するための図である。
【図４】ダビング残り回数の表示例を示す図である。
【図５】ダビング残り回数の表示例を示す図である。
【図６】実施例１に係るレコーダの処理動作を示すフローチャートである。
【図７】レコーダの集計処理について説明するための図である。
【図８】実施例２に係るレコーダの処理動作を示すフローチャートである。
【図９】レコーダのダビング処理について説明するための図である。
【図１０】実施例３に係るレコーダの処理動作を示すフローチャートである。
【図１１】ＰＣまたはレコーダのハードウェア全体構成を示した図である。
【図１２】従来技術を説明するための図である。
【符号の説明】
【００８３】
１０、１０ａ、１０ｂ  レコード
１１  ネットワークインターフェース部
１２  外部媒体読書部
１３  録画蓄積部
１４  録画コンテンツ情報集計部
１５  表示操作部
１６  入力系統管理部
２０  テレビ
２１  表示部
【図１】
2010140585.tif 000003
【図２】
2010140585.tif 000004
【図３】
2010140585.tif 000005
【図４】
2010140585.tif 000006
【図５】
2010140585.tif 000007
【図６】
2010140585.tif 000008
【図７】
2010140585.tif 000009
【図８】
2010140585.tif 000010
【図９】
2010140585.tif 000011
【図１０】
2010140585.tif 000012
【図１１】
2010140585.tif 000013
【図１２】
2010140585.tif 000014